(57)【要約】【課題】この発明は、映像信号に縁取りや不自然にはっきりした輪郭をつくり出すことなく、精細な映像を再現することができる輪郭補正回路を提供することを目的とする。【解決手段】輪郭補正回路において、入力映像信号の低周波成分を取り出す第１手段、第１手段によって取り出された低周波成分を入力映像信号から減算する第２手段、第２手段によって得られた信号から、振幅が所定値より小さい部分を除去する第３手段、および第３手段によって得られた信号に、入力映像信号を加算する第４手段を備えている。【選択図】　図３
2004140425.tif 000002
【特許請求の範囲】
【請求項１】
入力映像信号の低周波成分を取り出す第１手段、
第１手段によって取り出された低周波成分を入力映像信号から減算する第２手段、
第２手段によって得られた信号から、振幅が所定値より小さい部分を除去する第３手段、および
第３手段によって得られた信号に、入力映像信号を加算する第４手段、
を備えている輪郭補正回路。
【発明の詳細な説明】
【０００１】
【発明の属する技術分野】
この発明は、ＬＣＤディスプレイ、ＤＬＰディスプレイ等のディスプレイ装置の映像信号処理回路に用いられる輪郭補正回路に関する。
【０００２】
【従来の技術】
映像信号処理回路に用いられる輪郭補正回路は、遅延回路や２次微分回路を用いて実現されている。図１は、この種の輪郭補正回路が作用したときの入出力信号を示している。
【０００３】
また、輪郭補正回路の一種としてＬＴＩ（Ｌｕｍｉｎａｎｃｅ　Ｔｒａｎｓｉｅｎｔ　Ｉｍｐｒｏｖｅｍｅｎｔ）　が知られている。ＬＴＩでは、緩やかな傾斜を急な傾斜に補正することができる。図２は、ＬＴＩが作用したときの入出力信号を示している。
【０００４】
【発明が解決しようとする課題】
ところで、上述した遅延回路や２次微分回路を用いて実現される輪郭補正回路は、補正の結果、白側および黒側にピークが生成され、このピークによって縁取りが発生するため、本来、映像にない信号を作り出してしまう。図１は、黒側に縁取りを作ってしまう例である。
【０００５】
上述したＬＴＩの補正は、輪郭部分の傾斜は急峻になるが、信号の振幅は不変である。帯域制限された映像信号は、輪郭の傾斜が緩やかになるだけでなく、振幅も減衰している。ＬＴＩでは、減衰した振幅を戻せない。
【０００６】
この発明は、映像信号に縁取りや不自然にはっきりした輪郭をつくり出すことなく、精細な映像を再現することができる輪郭補正回路を提供することを目的とする。
【０００７】
【課題を解決するための手段】
この発明による輪郭補正回路は、入力映像信号の低周波成分を取り出す第１手段、第１手段によって取り出された低周波成分を入力映像信号から減算する第２手段、第２手段によって得られた信号から、振幅が所定値より小さい部分を除去する第３手段、および第３手段によって得られた信号に、入力映像信号を加算する第４手段を備えていることを特徴とする。
【０００８】
【発明の実施の形態】
以下、図３〜図７を参照して、この発明の実施の形態について説明する。
【０００９】
図３は、液晶プロジェクタの映像処理回路に用いられる輪郭補正回路の構成を示している。
【００１０】
入力信号が、ある帯域制限により振幅が減衰した立ち上がりのパルス状のものである場合について説明する。図４は、この場合の各部の信号を示している。
【００１１】
入力信号は、このパルスの持つ周波数成分を十分に減衰できる機能を備えたローパスフィルタ（ＬＰＦ）１と、遅延回路（ＤＬ）２とに送られる。ＬＰＦ１で減衰したパルスは遅延を生ずるので、ＤＬ２にはＬＰＦ１の出力と同じ遅延量を持たせている。
【００１２】
ＤＬ２を通過した入力信号Ａと、ＬＰＦ１の出力信号Ｂとは、第１の減算器３に送られてその差分Ｃ＝（Ａ−Ｂ）が算出される。信号Ｃには、高周波成分が現れるが、常に０を基準とした信号を得ることができる。ＬＰＦ１の出力Ｂは、入力信号Ａよりも時間的な幅が広がる。このため、減算器３の出力信号Ｃでは、黒側へのシュートが発生する。
【００１３】
ＬＰＦ１の出力信号Ｂは、第１の加算器４および第２の減算器５にも与えられる。これらの第１の加算器４および第２の減算器５には、ＬＩＭＩＴオフセット値が与えられる。第１の加算器４では、Ｂ＋ＬＩＭＩＴオフセット値＝Ｅの演算が行われ、第２の減算器５では、Ｂ−ＬＩＭＩＴオフセット値＝Ｅ’の演算が行われる。
【００１４】
第１の減算器３の出力信号Ｃと加算器４の出力信号Ｅとは、第１のリミッタ（ＬＩＭＩＴ１）６に送られる。第１のリミッタ６では、信号Ｃのうち、信号Ｅより小さな部分は切り取られ、信号Ｄが生成される。この切取りは、振幅が比較的小さいノイズ等を除去する役割と、縁取りの原因となるシュート部分を除去する役割を果たす。
【００１５】
入力信号が立ち上がりパルス状である場合には、後述するように、スイッチ９は端子ａ側に接続されるため、第１のリミッタ６の出力信号Ｄがスイッチ９を介して係数器１０に送られ、係数制御される。係数器１０で係数制御された信号は第２の加算器１１に送られ、ＤＬ２の出力信号Ａに加算された後、出力信号として出力される。
【００１６】
この出力信号は、第１のリミッタ６で切り取られた部分以外は、入力信号と相似形であるので、上記実施の形態の回路では、従来の輪郭補正回路よりも、入力信号が帯域制限を受ける前の信号により近い波形が得られる。
【００１７】
次に入力信号が、ある帯域制限により振幅が減衰した立ち下がりのパルス状のものである場合について説明する。図５は、この場合の各部の信号を示している。
【００１８】
入力信号は、ＬＰＦ１と、ＤＬ２とに送られる。ＤＬ２を通過した入力信号Ａと、ＬＰＦ１の出力信号Ｂとは、第１の減算器３に送られてその差分Ｃ＝（Ａ−Ｂ）が算出される。ＬＰＦ１の出力Ｂは、入力信号Ａよりも時間的な幅が広がる。このため、減算器３の出力信号Ｃでは、白側へのシュートが発生する。
【００１９】
ＬＰＦ１の出力信号Ｂは、第１の加算器４および第２の減算器５にも与えられる。これらの第１の加算器４および第２の減算器５には、ＬＩＭＩＴオフセット値が与えられる。第１の加算器４では、Ｂ＋ＬＩＭＩＴオフセット値＝Ｅの演算が行われ、第２の減算器５では、Ｂ−ＬＩＭＩＴオフセット値＝Ｅ’の演算が行われる。
【００２０】
第１の減算器３の出力信号Ｃと第２の減算器５の出力信号Ｅ’とは、第２のリミッタ（ＬＩＭＩＴ２）７に送られる。第２のリミッタ７では、信号Ｃのうち、信号Ｅより大きな部分は切り取られ、信号Ｄ’が生成される。
【００２１】
入力信号が立ち下がりパルス状である場合には、後述するように、スイッチ９は端子ｂ側に接続されるため、第２のリミッタ７の出力信号Ｄ’がスイッチ９を介して係数器１０に送られ、係数制御される。係数器１０で係数制御された信号は第２の加算器１１に送られ、ＤＬ２の出力信号Ａに加算された後、出力信号として出力される。
【００２２】
スイッチ９の制御方法について説明する。比較器８には、ＬＰＦ１の出力信号Ｂと、ＤＬ２の出力信号Ａとが入力される。比較器８は、Ｂ−Ａの演算を行う。入力信号が立ち上がりパルス状である場合には、Ｂ−Ａは負の値となる。入力信号が立ち下がりパルス状である場合には、Ｂ−Ａは正の値となる。したがって、比較器８は演算結果が負の値である場合にはスイッチ９を端子ａ側に切り替え、演算結果が正の値である場合にはスイッチ９を端子ｂ側に切り替える。
【００２３】
ところで、入力信号をＨＰＦに通し、その出力に原信号を加算することによって、高周波成分の振幅を大きくすることが考えられる。しかしながら、フィルタを用いた場合には必ずカットオフ周波数が存在し、その付近の周波数成分を持つ波形が入力されたときには、その出力は図６に示すように歪む。図６の例では、出力信号は左右非対称になっているとともに後ろ側にアンダーシュートが発生している。
【００２４】
上記実施の形態では、ＬＰＦを用いているが、そのカットオフ周波数付近の波形が入力された場合には、その出力信号は、図７に示すように、左右非対称にはなるが、アンダーシュートは発生しない。さらに、上述したように、第１または第２のリミッタ６、７によって、原信号への加算時にアンダーシュートの原因となる部分は切り取っているため、リミッタ６、７の出力信号を原信号に加算しても、縁取り、ピーク、輪郭での急峻な傾斜は生じない。
【００２５】
【発明の効果】
この発明によれば、映像信号に縁取りや不自然にはっきりした輪郭をつくり出すことなく、精細な映像を再現することができるようになる。
【図面の簡単な説明】
【図１】従来の輪郭補正回路の入出力信号を示す波形図である。
【図２】従来のＬＴＩの入出力信号を示す波形図である。
【図３】液晶プロジェクタの映像処理回路に用いられる輪郭補正回路の構成を示す模式図である。
【図４】入力信号が、ある帯域制限により振幅が減衰した立ち上がりのパルス状のものである場合の、各部の信号を示す波形図である。
【図５】入力信号が、ある帯域制限により振幅が減衰した立ち下がりのパルス状のものである場合の、各部の信号を示す波形図である。
【図６】入力信号をＨＰＦに通し、その出力に原信号を加算することによって、高周波成分の振幅を大きくした場合に、ＨＰＦの出力が歪むことを示す波形図である。
【図７】上記実施の形態のＬＰＦの出力を示す波形図である。
【符号の説明】
１　ＬＰＦ
２　ＤＬ
３、５　減算器
４、１１　加算器
６　リミッタ（ＬＩＭＩＴ１）
７　リミッタ（ＬＩＭＩＴ２）
８　比較器
９　スイッチ
１０　係数器
【図１】
2004140425.tif 000003
【図２】
2004140425.tif 000004
【図３】
2004140425.tif 000005
【図４】
2004140425.tif 000006
【図５】
2004140425.tif 000007
【図６】
2004140425.tif 000008
【図７】
2004140425.tif 000009